(57)【要約】【課題】冷蔵室と冷凍室にそれぞれ蒸発器を有する冷蔵庫において、省電力化を図りながら、冷蔵室用蒸発器からの除霜水の排水信頼性を高める。【解決手段】本発明は、内箱(4)と外箱(3)間に発泡断熱材(5)を充填した断熱箱体と、蒸発器(6)と、前記蒸発器(6)の除霜水を庫外に排水するために前記発泡断熱材(5)中に埋め込まれるドレンホース(9)と、前記外箱(3)の発泡断熱材(5)側に配置された放熱パイプ(15)とを備える冷蔵庫において、前記発泡断熱材(5)中に配設された前記ドレンホース(9)を前記外箱(3)の側面板(3b)に取り付けたことを特徴とする。【選択図】図３
2007078311.tif 000002
【特許請求の範囲】
【請求項１】
内箱と外箱間に発泡断熱材を充填した断熱箱体と、この断熱箱体内に形成された冷蔵温度帯室と、この断熱箱体内に形成され前記冷蔵温度帯室より下方に配置された冷凍温度帯室と、前記冷蔵温度帯室を冷却するための冷蔵室用蒸発器と、前記冷凍温度帯室を冷却するための冷凍室用蒸発器と、前記冷蔵室用蒸発器の除霜水を庫外に排水するために前記発泡断熱材中に埋め込まれる冷蔵用ドレンホースと、前記外箱の発泡断熱材側に配置された放熱パイプとを備える冷凍冷蔵庫において、
前記冷凍温度帯室の後方の前記発泡断熱材中に配設された前記冷蔵用ドレンホースを前記外箱の側面板に取り付けたことを特徴とする冷凍冷蔵庫。
【請求項２】
前記冷蔵用ドレンホースは、背面板と嵌合される前記側面板のフランジに取り付けたことを特徴とする請求項１に記載の冷凍冷蔵庫。
【請求項３】
内箱と外箱間に発泡断熱材を充填した断熱箱体と、蒸発器と、前記蒸発器の除霜水を庫外に排水するために前記発泡断熱材中に埋め込まれるドレンホースと、前記外箱の発泡断熱材側に配置された放熱パイプとを備える冷蔵庫において、
前記発泡断熱材中に配設された前記ドレンホースを前記外箱の側面板に取り付けたことを特徴とする冷凍冷蔵庫。
【請求項４】
前記冷蔵用ドレンホースは、背面板と嵌合される前記側面板のフランジに取り付けたことを特徴とする請求項３に記載の冷凍冷蔵庫。
【発明の詳細な説明】
【技術分野】
【０００１】
本発明は、除霜水のドレンホース内での凍結を防止するために、放熱パイプからの熱を利用する冷蔵庫に関する。
【背景技術】
【０００２】
本発明は具体的には、除霜水のドレンホース内での凍結を防止するために、放熱パイプからの熱を利用する冷凍冷蔵庫に関する。特に、冷蔵室及び野菜室等の冷蔵温度帯室用の冷蔵室用蒸発器と、冷凍室及び貯氷室等の冷凍温度帯室用の冷凍室用蒸発器とを備え、上部に冷蔵温度帯室及び冷蔵室用蒸発器を備え、下部に冷凍温度帯室及び冷凍室用蒸発器を備える冷凍冷蔵庫に関する。
【０００３】
従来の冷凍冷蔵庫においては、蒸発器の除霜水は、蒸発器の下方に位置する除霜水受皿へ落下し、ドレンホースへ流入し、機械室内に設けられた蒸発皿へ排出される。
【０００４】
しかしながら、ドレンホース内で除霜水が凍結し、ドレンホースが詰まってしまう問題が発生する。
【０００５】
このため、電熱線ヒータにより、このドレンホースを暖めて、凍結を防止することが、従来から提案されている。また、電熱線ヒータを採用すると消費電力の面で不利となるので、放熱パイプからの熱を利用して、凍結を防止することも、従来から提案されている（特許文献１）。更に、この放熱パイプにより、冷蔵室用蒸発器からの除霜水のドレンホース内での凍結を防止することも、従来から提案されている（特許文献２）。
【０００６】
この特許文献２に記載された従来の冷凍冷蔵庫を図４、図５を参照しつつ説明する。図４は冷凍冷蔵庫の断面図であり、図５は冷凍冷蔵庫の背面図である。
【０００７】
この冷凍冷蔵庫は、冷蔵温度帯室である冷蔵室１と冷凍温度帯室である冷凍室２とが上下に区画形成され、冷蔵室１が冷凍室２よりも上方に配置している。
【０００８】
外箱３と内箱４との間には断熱材５が発泡充填されており、冷蔵室１の背面には冷蔵室用蒸発器６が配設され、冷凍室２の背面には冷凍室用蒸発器が７が配設されている。
【０００９】
そして、冷蔵室用蒸発器６の下方の除霜水受皿８はドレンホース９と連接し、ドレンホース９の出口側は圧縮機１２の上部に備えた蒸発皿１１に臨んでいる。そして、冷凍室用蒸発器７の下方の除霜水受皿１３はドレンホース１４と連接し、ドレンホース１４の出口側は圧縮機１２の上部に備えた蒸発皿１１に臨んでいる。ドレンホース９、１４は、発泡断熱材５内に配設されている。
【００１０】
圧縮機１２で圧縮された冷媒を凝縮する凝縮器の一部を構成する放熱パイプ１５は、図５のごとく、冷蔵庫背面板の発泡断熱材５側に配設され、左右略中央部の上下方向にターン部１５ａを有し、ターン部１５ａの近傍にドレンホース９の入口を位置させている。
【００１１】
また、ドレンホース９と内箱４との間にはスペーサ１０を設け、発泡断熱材５内の冷蔵庫背面外板側への位置決めを強化している。
【００１２】
冷蔵室用蒸発器６の除霜は、ヒータを用いずに、蒸発器に冷媒を流さない時に行なうオフサイクルデフロスト方式としている。
【００１３】
この冷凍冷蔵庫について、冷蔵室用蒸発器６からの除霜水の凍結防止について説明する。冷蔵室１および冷凍室２は、冷蔵室用蒸発器６および冷凍室用蒸発器７の冷却作用によりそれぞれ所定の温度に冷却制御される。そして、圧縮機の運転時間を制御基板（図示せず）内のマイコンによりカウントし、所定の時間毎にデフロスト（除霜）を行なう。冷蔵室用蒸発器６からの除霜水は、冷蔵室用蒸発器６の下方の除霜水受皿８からドレンホース９を通り圧縮機１２の上部に備えた蒸発皿１１に貯められ圧縮機１２の熱を利用し蒸発する。
【００１４】
ここで、圧縮機１２で圧縮された冷媒を凝縮する凝縮器の一部を構成する放熱パイプ１５は、冷蔵庫背面外板の発泡断熱材５側に配設され、左右略中央部の上下方向にターン部１５ａを有し、ターン部１５ａの近傍にドレンホース９の入口を位置させているので、放熱パイプ１５の熱をドレンホース９に有効に伝えることができるので、ヒータ等を使用せずに着霜、氷結を防止でき、除霜信頼性が向上する。また、ヒータ等の電気的加熱源を用いないので、省電力化を図ることができる。
【００１５】
また、ドレンホース９と内箱４との間にはスペーサ１０を設け、発泡断熱材５内の冷蔵庫背面外板側への位置決めをしている。
【特許文献１】特開平１０-２６７５０８号公報
【特許文献２】特開２００５−１５６１０５号公報
【発明の開示】
【発明が解決しようとする課題】
【００１６】
しかしながら、上記従来の構成では、冷蔵室用蒸発器６の除霜水用のドレンホース９内における凍結の防止が十分ではなかった。
【００１７】
冷蔵室用蒸発器６の除霜水は、ドレンホース９内を流れるが、このドレンホース９は、冷凍室２の後方の断熱材中を通過している。この部分において、冷凍室２の影響を受け、ドレンホースが氷点以下になり凍結が生じることが原因と考えられる。
【００１８】
また、特許文献１の構成では、ドレンホース９と放熱パイプ１５とを添うよう配置しているが、冷蔵庫の組み立て時にドレンホース９は内箱４に取り付けられ、放熱パイプ１５は背面板に取り付けられる。そして、両者間には、発泡剤が注入され、断熱発泡が行われるが、この発泡時の圧力により、ドレンホース９が移動する恐れもある。このため、ドレンホース９を発泡前に強固に固定しなくてはならないが、内箱４と背面板の間では、作業者の手が届くこともなく作業が出来なかった。このため、従来においては、放熱パイプ１５の熱を受けるドレンホース９の配置位置を確実にするための高価な特別な対策（ドレンホース９を内箱と背面板の間に強固に固定できる特別な形状の固定具）が必要であると考えられていた。
【００１９】
本発明は、上記の課題を解決する冷蔵庫を提供することを目的とする。
【課題を解決するための手段】
【００２０】
上記従来の課題を解決するために、本発明の冷凍冷蔵庫は、内箱(4)と外箱(3)間に発泡断熱材(5)を充填した断熱箱体と、この断熱箱体内に形成された冷蔵温度帯室(1a)と、この断熱箱体内に形成され前記冷蔵温度帯室(1a)より下方に配置された冷凍温度帯室(2c)と、前記冷蔵温度帯室(1a)を冷却するための冷蔵室用蒸発器(6)と、前記冷凍温度帯室(2c)を冷却するための冷凍室用蒸発器(7)と、前記冷蔵室用蒸発器(6)の除霜水を庫外に排水するために前記発泡断熱材中に埋め込まれる冷蔵用ドレンホース(9)と、前記外箱(3)の発泡断熱材側に配置された放熱パイプ(15)とを備える冷凍冷蔵庫において、前記冷凍温度帯室
(2c)の後方の前記発泡断熱材(5)中に配設された前記冷蔵用ドレンホース(9)を前記外箱(3)の側面板(3b)に取り付けたことを特徴とする。
【００２１】
更に、本発明は、前記冷蔵用ドレンホース(9)は、前記側面板と背面板(3a)と嵌合される前記側面板(3b)のフランジ(3ba)に取り付けたことを特徴とする。
【００２２】
また、本発明は、内箱(4)と外箱(3)間に発泡断熱材(5)を充填した断熱箱体と、蒸発器(6)と、前記蒸発器(6)の除霜水を庫外に排水するために前記発泡断熱材(5)中に埋め込まれるドレンホース(9)と、前記外箱(3)の発泡断熱材(5)側に配置された放熱パイプ(15)とを備える冷蔵庫において、前記発泡断熱材(5)中に配設された前記ドレンホース(9)を前記外箱(3)の側面板(3b)に取り付けたことを特徴とする。
【００２３】
更に、本発明は、前記冷蔵用ドレンホース(9)は、前記側面板と背面板(3a)と嵌合される前記側面板(3b)のフランジ(3ba)に取り付けたことを特徴とする。
【発明の効果】
【００２４】
内箱４を外箱３に組み合わせる時に、まず、内箱４と側面板３ｂとを組み合わせて、ドレンホース９をこの側面板３ｂに取り付けてから、背面板３ａを取り付ける。
【００２５】
これにより、ドレンホース９の取り付け作業位置が、内箱４と背面板３ａとの間の空間から、内箱４と側面板３ｂとの間の空間に代えることが出来る。そして、この空間であれば、背面板３ａの組み立て前に容易に作業することができる。
【発明を実施するための最良の形態】
【００２６】
本発明の実施例１を説明する。図１〜図３は実施例１の冷凍冷蔵庫を示すもので、図１は冷凍冷蔵庫の縦断面の概念図、図２はこの冷凍冷蔵庫の扉を外した状態の正面からの図、図３は冷凍冷蔵庫の冷凍室部分を水平に切断した状態を示す断面図である。
【００２７】
図１〜図３に示すごとく、この冷凍冷蔵庫は、冷蔵温度帯室である冷蔵室１ａと野菜室１ｂと、冷凍温度帯室である貯氷室２ａ、小冷凍室２ｂ、冷凍室２ｃとが上下に区画形成され、冷蔵温度帯室１ａ，１ｂが冷凍温度帯室２ａ，２ｂ，２ｃよりも上方に配置されている。
【００２８】
鋼板からなる外箱３と樹脂製の内箱４との間には断熱材５が発泡充填されて断熱箱体が形成されている。外箱３は、天板と側面板３ｂが形成され、内側に放熱パイプが貼付されたコ字型の鋼板と、底板と、背面板３ａからなる。側面板３ｂのフランジ３ｂａは背面板３ａの端部と嵌合する。なお、背面板３ａは外箱３の背面部分を形成するものあり、側面板３ｂは外箱３の左右側面部分を形成するものである。断熱箱体の野菜室１ｂの下部には断熱仕切２３が配置されており、下部の冷凍温度帯室２ａ、２ｂ、２ｃ側と仕切られている。また、冷蔵室１ａの背面には冷蔵室用蒸発器６が配設され、冷凍室２ａの背面には冷凍室用蒸発器が７が配設されている。
【００２９】
そして、冷蔵室用蒸発器６の下方の除霜水受皿８はドレンホース９と連接し、ドレンホース９の出口側は圧縮機１２の上部に備えた蒸発皿１１に臨んでいる。そして、冷凍室用蒸発器７の下方の除霜水受皿１３はドレンホース１４と連接し、ドレンホース１４の出口側は圧縮機１２の上部に備えた蒸発皿１１に臨んでいる。
【００３０】
冷蔵室用蒸発器６の下方にはガラス管ヒータ（図示せず）が設けられている。冷蔵温度帯室１ａ，１ｂの冷却は、冷蔵室用蒸発器６に冷媒を流し、冷蔵用冷気循環ファン２１を運転することにより行う。また、冷蔵室用蒸発器６の除霜は、蒸発器６に冷媒を流さない
時に冷気循環ファン２１を運転して行なうオフサイクルデフロストと、ガラス管ヒータに通電して行う両方を採用している。この冷凍冷蔵庫では、通常はオフサイクルデフロストを行い、オフサイクルデフロストを６回行う毎にガラス管ヒータによる除霜を１回行っている。また、冷却不良時にもガラス管ヒータによる除霜を行っている。
【００３１】
冷凍室用蒸発器７の下方にはガラス管ヒータ（図示せず）が設けられている。冷凍温度帯室２ａ，２ｂ，２ｃの冷却は、冷凍室用蒸発器７に冷媒を流し、冷凍用冷気循環ファン２２を運転することにより行う。また、冷凍室用蒸発器７の除霜は、所定時間ごとに蒸発器７に冷媒を流さずにガラス管ヒータに通電して行う。
【００３２】
冷蔵室１ａ，１ｂおよび冷凍室２ａ，２ｂ，２ｃは、冷蔵室用蒸発器６および冷凍室用蒸発器７の冷却作用によりそれぞれ所定の温度に冷却制御される。そして、圧縮機１２の運転時間を制御基板（図示せず）内のマイコンによりカウントし、所定の時間毎に除霜を行なう。冷蔵室用蒸発器６からの除霜水は、冷蔵室用蒸発器６の下方の除霜水受皿８からドレンホース９を通り圧縮機１２の上部に備えた蒸発皿１１に貯められ圧縮機１２の熱を利用し蒸発する。
【００３３】
圧縮機１２で圧縮された冷媒を凝縮する凝縮器の一部を構成する放熱パイプ１５は、図３に示すように背面板３ａ及び側面板３ｂの発泡断熱材５側にアルミテープ２４で貼り付けられている。
【００３４】
冷蔵用ドレンホース９は、予め、図２に示されるように、除霜水受皿８から真っ直ぐに下に配置されず、右側（組み立て時の放熱パイプ１５側）に曲げられる。そして、この内箱４と前記コ字型の外箱部分とを組み合わせる。ここで、冷蔵用ドレンホース９を側面板３ｂのフランジ３ｂａに設けた孔（図示せず）に結束バンド２５により取り付け固定する。
【００３５】
これにより、冷凍温度帯室２ａ、２ｂ、２ｃの周辺の断熱材中において、冷蔵用ドレンホース９は、鋼板製の側面板３ｂに固定される。
【００３６】
この後、背面板３ａ等を組み立てた後に断熱発泡を行い発泡断熱材５部分を形成する。
【００３７】
放熱パイプ１５はアルミテープ２４により外箱３内面側に貼付されているので、放熱パイプ１５の熱は外箱３に有効に伝えることができる。そして、この熱は、外箱３のフランジ３ｂａに取り付けられている冷蔵用ドレンホース９に伝わり、ドレンホース９内の除霜水が冷凍温度帯室周辺で凍結することを防止できる。この、冷蔵用ドレンホース９は、複数の結束バンド２５により拘束されてフランジ３ｂａに取り付けられる。
【００３８】
また、冷蔵用ドレンホース９内での凍結が起こらないように、断熱仕切２３より上の位置で冷蔵用ドレンホース９を最初の結束バンド２５により拘束して取り付けるように、本実施例の冷凍冷蔵庫を設計している。
【産業上の利用可能性】
【００３９】
以上のように、本発明の実施例１では、上から冷蔵室、野菜室、冷凍室が配置された冷凍冷蔵庫について説明したが、本願は、上から冷蔵室、冷凍室、野菜室が配置された冷凍冷蔵庫にも適用可能である。
【図面の簡単な説明】
【００４０】
【図１】本発明の実施例１の冷凍冷蔵庫の縦断面の概略を説明するための図である。
【図２】実施例１の冷凍冷蔵庫の扉を外した状態の正面からの図である。
【図３】実施例１の冷凍冷蔵庫の冷凍室部分を水平に切断した状態を示す断面図である。
【図４】従来の冷凍冷蔵庫の断面図である。
【図５】従来の冷凍冷蔵庫の背面図である。
【符号の説明】
【００４１】
１ａ  冷蔵室（冷蔵温度帯室）、
２ｃ  冷凍室（冷凍温度帯室）、
３    外箱、
３ａ  背面板（外箱３の一部）、
３ｂ  側面板（外箱３の一部）、
３ｂａフランジ（側面板３ｂの一部）、
４    内箱、
５    発泡断熱材、
６    冷蔵室用蒸発器（蒸発器）、
７    冷凍室用蒸発器、
９    冷蔵用ドレンホース（ドレンホース）、
１５  放熱パイプ、
２５  結束バンド。
【図１】
2007078311.tif 000003
【図２】
2007078311.tif 000004
【図３】
2007078311.tif 000005
【図４】
2007078311.tif 000006
【図５】
2007078311.tif 000007